(57)【要約】      （修正有）【課題】シロアリの検出及び防除のための装置及び方法の提供。【解決手段】地下に少なくとも部分的に受容されるステーション１０は、シロアリによる内部へのアクセスを提供する少なくとも一つの開口３７を有する。ステーション１０の内部に受容される、シロアリを惹き付ける集合ベース２２は、シロアリの集合場所を形成するための少なくとも１つの空所を含む。更に、ステーション１０の内部に受容され、且つ集合ベース２２に隣接して位置づけられる入れ替え可能な監視容器２４は、少なくとも一つの開口を有し、その開口は、集合ベース２２から監視容器２４内の部屋へのシロアリの通過を可能とするように、集合ベース２２に面している。監視容器２４は、集合ベース２２に対して最小の妨害でステーション１０から取り外すことができるような、大きさ及び形状とされ、それによって、シロアリによって集合ベース２２の空所内に形成された集合場所が保護される。【選択図】図２
2004290194.tif 000002
【特許請求の範囲】
【請求項１】
地下のシロアリを検出及び防除する装置において、
少なくとも部分的に地下の空洞内に受容され得るステーションと、
前記ステーションの内部に受容される、シロアリを惹きつける集合ベースと、
前記ステーションの内部に受容され且つ前記集合ベースに隣接して位置づけられる入れ替え可能な容器と、を備え、
前記ステーションが、前記シロアリによる前記ステーションの内部へのアクセスを提供するための、少なくとも一つの開口部を有し、
前記集合ベースが、前記シロアリの集合場所を形成するために、少なくとも１つの空所を含み、
前記容器が、集合ベースから前記容器内の部屋へのシロアリの通過を可能にするために、集合ベースに面する少なくとも一つの開口を表面に有し、
前記容器が、集合ベースの空所内にシロアリにより形成された集合部位を保護するように、実質上集合ベースを妨害することなしにステーションから取り外すことができる大きさ及び形状とされている、害虫防除装置。
【請求項２】
前記ステーションが、側壁と底とを含み、前記側壁が、シロアリのステーション内外への侵入、退出を可能とするように、ステーションの全肉厚を通過する垂直に細長い開口を含んでいる、請求項１記載の害虫防除装置。
【請求項３】
容器の前記少なくとも一つの開口が、前記容器の底面にある、請求項１記載の害虫防除装置。
【請求項４】
前記容器が、前記底面と、上面と、環状の側壁と、を備えた円筒形容器であり、前記上面が、少なくとも１つの開口を備え、前記側壁が無孔である、請求項３記載の害虫防除装置。
【請求項５】
前記集合ベースが、前記集合ベース内の中心に設置された前記空所を伴う、概して円筒形に形成され、前記集合ベースが木製であり、前記集合ベースが、更に、集合ベースを通過し前記空所に通じる少なくとも１つの溝を備えている、請求項４記載の害虫防除装置。
【請求項６】
地下のシロアリの検出及び防除のための装置に使用する入れ替え可能な容器において、
前記装置が、前記シロアリの集合場所を形成するため前記シロアリを惹き付ける、実質上静止した集合ベースを有し、
前記入れ替え可能な容器が、内部の部屋を定義する底と無孔の側壁とを備えたカップと、
前記容器内に受容される材料と、を備え、
前記底が、集合ベースからカップの部屋内へのシロアリの通過を可能にするように、集合ベースに面した少なくとも一つの開口部を有し、
前記材料が、前記シロアリを惹き付ける監視媒体と、シロアリを惹き付け且つ有毒な餌と、の少なくとも一つを備え、
前記容器が、実質上集合ベースを妨害することなしに装置から取り外すことができる大きさ及び形状とされている、害虫防除装置の入れ替え可能な容器。
【請求項７】
前記容器が、前記底面と、上面と、前記側壁とを備えた円筒形容器とされ、前記上面が少なくとも一つの開口を備えている、請求項６記載の入れ替え可能な容器。
【請求項８】
前記容器が、少なくとも部分的に透明である、請求項６記載の入れ替え可能な容器。
【請求項９】
地下のシロアリの検出及び防除のために地下の空洞内に受容される装置に使用する集合ベースにおいて、
前記集合ベースが、前記シロアリの集合場所を形成するために前記シロアリを惹き付けるものであり、
前記装置が、実質上集合ベースを妨害することなく、装置から取り外され、入れ替えられることができる、大きさ及び形状とされた入れ替え可能な容器を有しており、
前記集合ベースが、概して円筒形の外面と、シロアリの集合場所を形成するための集合ベース内の少なくとも一つの空所と、集合ベースを通過し前記空所に通じる少なくとも１つの溝と、を備えている、害虫防除装置の集合ベース。
【請求項１０】
前記空所が、実質上前記集合ベース内の中心に設けられている、請求項９記載の集合ベース。
【発明の詳細な説明】
【発明の詳細な説明】
【０００１】
（発明の背景）
この発明は、一般に、害虫防除装置、より詳細には、シロアリを妨害し、餌をつけるための方法及びシステムに関する。
【０００２】
例えば、シロアリのような多くの害虫は、世界中の至る所で、建築物やその他の木を含む物体、その他のセルロースを含む構成要素にとって重大な脅威であり、それは、これらの害虫が、栄養摂取のためにセルロースを食べるからである。地下のシロアリは、一般的に土中に住み、しばしば大きなコロニーを形成する。コロニーのメンバーは餌を探し回り、こうして巣から外方に地下道又は通路を掘る。餌を探し回るシロアリによって見つけられた食物の一部は、巣に戻される。シロアリは、コロニー内の他のシロアリに食物源の位置を伝達する手段を有していることが知られている。
【０００３】
多くの害虫防除装置が、害虫を監視して根絶するために多種多様な構成で知られ、そして形成されている。一般的なシロアリ防除装置の１つタイプは、シロアリにその装置から食べ始めることを働きかけるために、シロアリを惹き付ける媒体から作られる食物源の監視を利用する。シロアリは、そのとき、シロアリ防除装置の給餌箇所にセットされた毒を含む餌の供給によって、排除される。おそらく最も重要なことは、ステーションに到達したコロニーのメンバーだけではなく、餌づけをしたシロアリが、シロアリのコロニー全体の排除又は抑制という結果を招くことである。なぜなら、毒物を含む餌が、戻ってきたシロアリとともに巣にもたらされるからである。シロアリの餌は、効果を得るためにシロアリによって食べられなければならないので、餌がコロニーに対して意図した毒性の影響を与えるように、定点で十分に長い期間にわたりシロアリのコロニーのメンバーによる消費に利用可能な餌を、一貫して繰り返し作ることに、技術が発展されなければならない。
【０００４】
一般に、有毒なシロアリの餌は、シロアリのコロニーとの接触が確立された後にのみ適用され、シロアリは、ステーションから餌を食べる。その理由は、使用される餌の量を最小化すること、将来のシロアリの攻撃を見越して長期間本来の場所に残しておいた場合の潜在的な餌の劣化、意図的でなく子供やペットに餌がさらされる可能性を最小化すること、等である。したがって、監視中に、無毒媒体を伴う餌ホルダーで最初にシロアリを検出することが、より望ましい。シロアリが検出された後、有毒な餌が餌ホルダーに適用される。
【０００５】
そのようなシステムは、餌ホルダー内でシロアリが活動していることを確認するために、定期的に（例えば、３ヶ月に一回）点検されなければない。しかしながら、これを達成するためには、餌付けをするシステムは、食餌誘因方法及び／又はシステムの、成功する可能性の低い未解決の問題に対処しなければならない。例えば、監視媒体又は餌ホルダー内の餌を点検したとき、又は、有毒な餌を加えたとき又は交換したときに、一般に給餌箇所が妨害される。これは、シロアリに餌ホルダー全てを放棄させる。
【０００６】
（発明の概要）
本発明のいくらかの目的と特徴のなかで、シロアリの探知と餌付けを可能にする装置、いわば、無毒な餌から有毒な餌への餌付けの移行が、無毒の餌の給餌箇所に対する最小の妨害をもたらす装置の提供について；害虫防除用の毒素の効果的な除去と導入を可能にするそのような装置の提供について；そして、使用が簡単なそのような装置の提供について、言及される。
【０００７】
一実施形態によれば、本発明は、地下のシロアリの検出及び／又は防除装置に関するものである。その装置は、地下の空洞内に少なくとも部分的に受容されるステーションを含み、ステーションは、内部へのシロアリによるアクセスを提供する、少なくとも一つの開口を有している。また、その装置は、ステーションの内部に受容される、シロアリを惹き付ける集合ベースを含み、その集合ベースは、シロアリの集合場所を形成するための少なくとも一つの空所を含む。その装置は、さらに、ステーションの内部に受容され、集合ベースに隣接して位置づけられる入れ替え可能な容器を含み、その容器は、表面に少なくとも一つの開口を有し、それは、集合ベースから容器内の部屋へのシロアリの通過を可能にするために、集合ベースに面しており、そして、その容器は、集合ベースを妨害することなしに、ステーションから取り外すことができるような、大きさ及び形状とされており、それによって、集合ベース内にシロアリにより形成された集合場所が保護される。
【０００８】
別の実施形態において、本発明は、地下のシロアリを検出及び／又は防除するための装置を含む。その装置は、シロアリがアクセス可能な地下の空洞内に、少なくとも部分的に受容可能であり、同じく地上のユーザーによってもアクセス可能である。その装置は、空洞内に受容されたシロアリを惹き付ける集合ベースを含み、集合ベースは、シロアリの集合場所を形成するように構成される。その装置は、同じく、集合ベースに隣接して空洞内に受容される入れ替え可能な容器を含む。その容器は、集合ベースを取り外すことなしに、空洞から取り外され且つ別の容器に取り替えできるような、大きさ及び形状とされており、それによって、集合ベース内にシロアリによって形成された集合場所が保護される。その容器は、更に、集合ベースから容器内へのシロアリの通過を可能にするように構成された少なくとも一つの開口を含む。
【０００９】
更にもう一つの実施形態において、本発明は、地下のシロアリの検出及び／又は防除の方法である。その方法は、シロアリがアクセス可能な地下の空洞を提供する工程、及び、地下の空洞内に少なくとも部分的に受容されるように、その空洞内にステーションを挿入する工程、を含む。その方法は、同じく、シロアリを惹き付ける集合ベースを空洞内に配置する工程と、集合ベースに隣接して空洞内に入れ替え可能な容器を配置する工程と、を含み、集合ベースが、シロアリの集合場所を形成する少なくとも１つの空所を含み、容器は、シロアリを惹き付ける監視媒体を納める。その方法は、更に、空洞内のシロアリの存在を検出するために集合ベースを監視するため、入れ替え可能な容器を定期的に取り除く工程を含み、入れ替え可能な容器は、集合ベースを妨害することなく、空洞から取り除くことができるような、大きさ及び形状とされ、それによって、集合ベース内にシロアリによって形成された集合場所が保護される。
【００１０】
さらなる実施形態において、本発明は、地下のシロアリを防除又は排除する方法である。その方法は、シロアリがアクセス可能な地下の空洞を提供する工程、及び、地下の空洞内に少なくとも部分的に受容されるように、空洞内にステーションを挿入する工程、を含む。その方法は、更に、シロアリを惹き付ける集合ベースを空洞内に配置する工程と、集合ベースに隣接して空洞内に入れ替え可能な容器を配置する工程と、を含み、集合ベースが、シロアリの集合場所を形成する少なくとも一つの空所を含み、容器は、シロアリを惹き付け且つ有毒な餌を納める。その方法は、空洞内のシロアリの存在を検出するために集合ベースを監視するため、定期的に入れ替え可能な容器を取り外す工程を含む。
【００１１】
さらなる実施形態において、本発明は、地下のシロアリの検出及び／又は防除装置に使用する入れ替え可能な容器に関し、その装置は、集合場所を形成するためにシロアリを惹き付ける、実質上静止した集合ベースを有する。入れ替え可能な容器は、内部の部屋を定義する底と無孔の側壁とを備えたカップを含み、底は、集合ベースからカップ内の部屋へシロアリが通過しうるように、集合ベースに面する少なくとも一つの開口を有する。その容器は、内部に受容された材料を含み、その材料は、シロアリを惹き付ける監視媒体と、シロアリを惹き付け且つ有毒な餌との少なくとも１つを備える。その容器は、実質上集合ベースを妨害することなしに、その装置から取り除くことができるような、大きさ及び形状とされている。
【００１２】
他の目的及び特徴のいくつかが、以下に示されている。
【００１３】
（図面の簡単な説明）
図１は、本発明に係る害虫防除装置の実施形態の斜視図である。
【００１４】
図２は、図１の害虫防除装置の分解斜視図である。
【００１５】
図３は、図１の害虫防除装置に用いられる集合ベースの斜視図である。
【００１６】
図４は、図１の害虫防除装置に用いられる容器の分解斜視図である。
【００１７】
図５は、図４の監視容器に類似した構造の内部に餌を入れた餌容器の分解斜視図である。
【００１８】
図６は、図４の容器のカップ部分の斜視図である。
【００１９】
図７は、図４のカップの別の斜視図である。
【００２０】
図８は、図４の容器の蓋部分の斜視図である。
【００２１】
いくつかの図面を通して、一致する参照符号は一致する部分を示している。
【００２２】
（好ましい実施形態の詳細な説明）
図１及び図２は、本発明の一実施形態における、害虫の監視及び防除ステーション（一般に参照符号１０で示す）を示している。図示された実施形態は、特に、シロアリの監視及び防除に適当であるが、例えば、アリのような他の害虫の監視及び防除に用いられる発明として考えられる。図２の分解組立図で詳細に説明すると、ステーション１０は、実質上、内部の容量２０を定義する、環状の側壁１４と上面１６と底面１８とを有した空洞のハウジング１２を含む。ハウジング１２の上面１６の部分は解放し、内部２０を露出している。ステーション１０は、ハウジング１２の内部２０の中に、集合ベース２２、監視容器２４及び／又は餌容器２５（図示されないが、図５を参照して以下に説明される）の１又はそれ以上を受け入れる。
【００２３】
ハウジング１２を閉じるため、キャップ２８が上面１６に取り外し可能に取り付けられる。キャップ２８は、ハウジング１２の上面１６に取り外し可能に固定される。一実施形態において、キャップ２８は、ハウジング１２の上面１６におけるスロット３２に及ぶ、１組のタブ３０有する。キャップ２８は、はめ合わせのために、左回りか右回りのいずれか一方に回転される。タブは、タブ３０の前縁３６に沿った面取３４を含む。キャップ２８を回転したとき、面取３４はスロット３２内のポジションへタブ３０を導く補助をする。上面１６にキャップ２８を固定するため、他の適当な手段を用いることができる。
【００２４】
ハウジング１２は、好ましくは、耐久性があり、耐腐食性のある材料、例えば、アクリルや高強度プラスチックで形成される。ハウジング１２は、一般に円筒形状で示されるが、他の適当な形状（例えば、矩形状）にすることができる。ステーション１０は、好ましくは、約１８インチ（４５７mm）未満の最大高さと、１２インチ（３０５mm）未満の最大直径又は幅と、を有し、より好ましくは、９インチ（２２９mm）未満の最大高さと、約４インチ（１０２mm）未満の最大幅とを有する。
【００２５】
ステーション１０は、ステーションの内部２０に対する内外へのシロアリの侵入と退出を可能にするため、側壁１４を通過する少なくとも一つの開口３７を含む。側壁１４は、好ましくは、おおよそ側壁の全体の長さに及ぶ、いくつかの垂直に細長い開口３７を有する。このようにして、上面１６が上方に面しているステーション１０の好ましい位置づけに関して、垂直な方向が使われる。しかしながら、開口を他の形態や他の方向性にすることが考えられる。例えば、開口は、水平方向に細長い開口や、ランダムに配置されるか又は一定のパターンで形成された円形の開口とすることができる。更に、底面１８に、内部２０に通じる開口３７を形成することができる。別の例では、ハウジング１２の上面１６に近い側壁１４の上の部分が無孔となるように、開口３７は、ハウジング１２の側壁１４の下の部分３８にのみ形成される。
【００２６】
使用するときは、ステーション１０は、シロアリがアクセス可能な空洞内に、少なくとも部分的に受容され、一方、ユーザーによっても地上からアクセス可能である。空洞は、地下の空洞とすることができ、又は、壁やその他のビルの枠組み、その他の地上の構造物の空洞とすることができる。空洞は、土の中に形成することができ、又は、コンクリートやアスファルトのような舗装材料に、舗装材料の下の土を伴って形成できる。好ましくは、ステーション１０は、上面１６及びキャップ２８のみが地上からアクセスできるように、実質上完全に空洞の中に受容される。しかしながら、空洞が非常に浅いような、いくらかの状況では、ステーション１０はほとんど完全に地上にあるように配置することができる。
【００２７】
図２に示す一実施形態において、集合ベース２２は、ハウジング１２の内部２０に受容され、細長い開口３７が集合ベース２２を地下の空洞にさらすように、側壁１４の下部の付近に配置される。監視容器２４又は餌容器２５は、そのとき、集合ベース２２に隣接して受容されるように、ハウジングの内部２０内に受容される。集合ベースが、管として形成され、そして、入れ替え可能な監視容器２４又は餌容器２５が管の中空内に受容されるように構成することも考えられる。
【００２８】
或いは、集合ベース２２は、直接空洞内に受容される。例えば、集合ベース２２が、舗装材料中のように、空洞の横壁が集合ベース２２の周辺で崩壊する可能性がほとんどない、より耐久性の高い環境で使われるときは、集合ベース２２を直接空洞に置くことができる。監視容器２４又は餌容器２５は、そのとき集合ベース２２に隣接して（好ましくは直上に）、空洞に配置される。そのような実施形態においては、集合ベース２２及び容器２４，２５を受容するステーションは必要ない。空洞内で集合ベース２２及び容器２４，２５を固定するため、技術的に周知の適当なキャップが、空洞の上に置かれるであろう。しかしながら、前述の実施例においては、容器２４，２５が点検され、取り除かれ、及び／又は、交換されている間に、集合場所とシロアリに与える妨害が最小限となるように、静止した方法により空洞又はステーション１０内に集合ベース２２が設置される。
【００２９】
図３は、集合ベース２２の実施形態を示す。図で示した例において、集合ベースは、使用されているときに、外表面４０がステーション１０の側壁１４又は空洞の内側に面するように、一般に円筒形に形成される。集合ベースの他の例は、ベースが受容される空洞に応じて、使用に適当な異なる幾何学形状を有することができる。ステーション１０の内部２０に受容される集合ベースの一実施形態では、集合ベース２２は、ハウジング１２内にぴったりと適合した関係で取り外し可能に受容され得るように、ハウジング１２の内幅よりも少し小さい幅を持つ、ハウジング１２と似た形を有することが好ましい。好ましくは、集合ベース２２は、シロアリの集合場所に適当な、実質上集合ベース２２内の中心に設置された空所４２を有する。集合ベース２２は、外表面４０から空所４２の内側へと集合ベース２２を通過する溝４４を備える。好ましくは、溝４４は、集合ベース２２の外表面４０から空所４２内の集合場所までシロアリを案内する。好ましくは、集合ベースは、例えば木のような、シロアリを惹き付けるセルロース材料から作られる。
【００３０】
或いは、集合ベース２２は、プラスチックやその他の適当な材料で作ることができ、そして、例えば、紙、厚紙、圧縮錠剤やその他の適当な給餌材料のような、セルロース系材料で満たすことができ、給餌材料へのアクセスを提供する孔を有することができる。そのような例において、集合ベース２２は、容器２４と構造が似ていてもよい。更に、また、集合ベースは、発砲材料から作ることができる。これらの実施形態のいくつかにおいて、集合ベースは、材料のない空所を有しないものとすることができるが、集合ベース又は集合ベース内の材料を食べるシロアリがベース内に集合場所を形成するように、集合ベースが構成されることが好ましい。
【００３１】
図４を参照すると、監視容器２４は、カップ５０を備えている。カップ５０は付随する蓋５２を有することができる。図に示すように、カップ５０は、監視容器２４が、ハウジング１２の形状を補完するために内側の部屋５３を定義する閉じられた円筒形として構成されるように、蓋５２の反対側に底面５４を有する。底面５４は、ある操作方法で監視容器２４がステーション１０内に配置されたとき、集合ベース２２に隣接する面として表現され、そして、便宜上、蓋５２は反対側の表面を構成する。しかしながら、蓋５２が集合ベース２２に隣接するように監視容器２４がステーション１０に挿入されることも考えられる。カップ５０の外幅は、カップが取り外し可能にハウジング内に受容されるように、ハウジング１２（図２）の内幅よりもすこし小さくなっている。容器２４は、好ましくは、プラスチックで作られる。図５を参照すると、餌容器２５は、好ましくは、監視容器２４と同じような似た構造とされており、そして、一致する部品は同じ参照数字で示している。
【００３２】
図４及び図５の双方を参照すると、監視容器２４の部屋５３内には、例えば、シロアリを引きつける監視媒体５５（図４に示す）のような適当な材料を、受容することができる。餌容器２５の部屋５３内には、シロアリを惹き付け且つ有毒な餌５７を、受容することができる。監視媒体５５及び餌５７は、簡単に部屋５３に挿入できるように、タブレットの形態にされていることが好ましい。監視媒体５５及び餌５７の使用法は、後でより詳細に説明する。
【００３３】
好ましくは、容器２４，２５がハウジング１２内に受容され、ハウジング１２の上面をカバーするキャップ２８の配置を妨害しないように、一つの容器２４，２５と集合ベース２２の結合した長さは、ハウジング１２の長さよりも短くされている。好ましくは、後に理由を詳述するように、蓋５２及び／又はカップ５０は透明（又は、少なくとも部分的に透明）とされる。
【００３４】
図６に示すように、カップ５０は、集合ベース２２に対面する底面５４に少なくとも１つの開口６６を有する。容器２４，２５がハウジング１２内で使用位置に受容されたとき、底面５４の開口６６は、カップ５０の内部に通じ、それによって、シロアリが集合ベース２２からカップの内部に移動することが可能になる。底面には多数の開口６６が好ましいが、１つの開口に設計することも考えられる。例えば、カップ５０は、わずかに不規則な形（例えば、クローバー形）の１つの開口６６を有することができる。更に、カップ５０が、側壁に孔を有しているいくつかの例も考えられる。シロアリは、集合ベース２２からカップ５０の開口６６にアクセスできなければならない。１つの実施形態において、カップ５０の底面５４の小さい脚６８は、シロアリの調査用の隙間を提供するために、集合ベース２２からカップを浮かせる。
【００３５】
監視容器２４は、監視容器２４が集合ベース２２を妨害することなしに、取り外され、点検され、及び／又は交換されるように、集合ベース２２（例えば、図２参照）に隣接して入れ替え可能に受容されるように構成され、それによって、集合ベース２２内、例えば、空所４２の内でシロアリによって形成された集合場所を保護する。同じように、餌容器２５は、使用中、監視容器２４又は餌容器２５のいずれかが、集合ベース２２に隣接して位置づけられるように、集合ベース２２に隣接して入れ替え可能に受容されるように構成される。
【００３６】
容器２４、２５の蓋５２は、同じく、少なくとも一つの開口７０（図８参照）を有することができ、少なくとも１つの開口は、シロアリが、容器の蓋５２を経て容器の内外へ移動することを可能にする。さらに、開口７０は、ステーション１０又は空洞が水で一杯になった場合に、容器２４，２５が浮くのを防止する。同じく、容器２４，２５内に入れられた監視媒体５５又は餌５７が水に浸され、膨張した場合に、開口６６，７０は、膨張の余地を提供し、容器内で餌を保持する。カップ５０の側面７２には、ハウジング１２の開口３７を通過するシロアリが集合ベース２２まで追いやられ、集合ベース内で最初の集合場所が形成されるように、開口がないことが好ましい。しかしながら、カップ５０が監視容器２４として使われたときは、開口が側面にも含まれていてもよい。
【００３７】
蓋５２は、適当な手段でカップ５０に着脱自在に固定される。図７に示す一実施形態において、カップ５０は、先端の縁５８の近くに、いくつかの凹部５９を有する。図８には、蓋５２をカップ５０に固定するため、凹部５９に受け入れられる蓋５２のフランジ６０が示されている。或いは、カップ５０の円形のねじ部（図示略）が上向きに延び、蓋５２の相補的なねじ込みベース部（図示略）が、ねじによってカップ５０に取り外し可能に固定される。
【００３８】
操作中において、ステーション１０の位置づけのために、土中に適切な寸法の空洞が作られる。通常、集合ベース２２及び監視容器２４は、ステーションハウジング１２内に置かれ、ステーション１０は、ステーションハウジング１２の上面１６が土の表面の近くに位置するまで空洞内に挿入されるか押し込まれる。しかしながら、場合によっては、例えば、シロアリの存在又はシロアリに資する条件が知られているときは、監視容器２４を使用せずに、集合ベース２２とともに餌容器２５を直接使い始めることが望ましい。別の例では、集合ベース２２が直接空洞内に設置される。そのとき、容器２４又は２５のいずれかが、集合ベース２２に隣接して空洞内に設置される。以下に、ステーション１０内に置かれた集合ベース２２について説明されているが、上記に説明したように、ステーション１０を用いることなしに、集合ベースが監視容器２４又は餌容器２５に隣接して設置されることも考えられる。シロアリは、食物源を探して食料をあさる結果、ステーション１０及び集合ベースを探し出す。
【００３９】
シロアリがステーション１０の外側に接近したとき、シロアリは迅速に開口３７から侵入し、潜在的な食物源である集合ベースを発見するために内部を動く。ステーションの開口３７は、シロアリが迅速に側壁１４を通過して集合ベース２２に至るのを助ける。シロアリが開口３７から侵入し、集合ベース２２上の容器２４，２５と接触した場合には、無孔の容器の側壁が、シロアリを集合ベース２２まで細長い開口部３７に沿って下方に導く。溝４４は、シロアリが集合ベース２２に侵入し、ベースに作られた内部の空所４２を集合場所として使い始めることを促進する。空所４２は集合のために中心に停止領域を作成する。いったん中にはいると、シロアリは集合ベース２２の上部に進み、監視容器２４内に入る。監視容器２４は、シロアリの活動の監視のために取り除かれるため、集合ベース２２は平穏な状態を維持し、それによって、集合ベース２２の空所４２及び集合場所を完全に維持する。
【００４０】
ステーション１０は、侵入の痕跡について監視容器２４を視覚的に調査することにより、シロアリの侵入に関する証拠について周期的に点検を行うことができる。ステーション１０の点検は、必要と要望に応じて、毎週、隔週、毎月等行うことができる。点検は、キャップ２８を取り除き、シロアリの攻撃に関して監視容器２４の部屋５３又は集合ベース２２を視覚的に点検することにより行われる。シロアリがセルロース材料（例えば、監視媒体５５又は集合ベース２２）に対して攻撃するという性質のため、可視の痕跡又はそのような攻撃の証拠が、必ずモニターに残される。この証拠は、例えば、材料の表面、及び／又は、ステーションハウジング１２又は監視容器２４の内面を超えて又は横断して構築された泥の管に、シロアリの侵入の証拠となる痕跡が残されるように、シロアリが材料を食べることでシロアリにより作られた探索用トンネルを含む。そのような侵入の痕跡は、シロアリの被害を探知する技術に熟練している人にとっては誰にでも明白である。シロアリの攻撃が発見されたら、ステーション１０は、監視容器２４と餌容器２５とを置き換えることによって餌が付けられる。或いは、監視媒体５５が取り除かれ、餌５７と交換される。シロアリの攻撃が発見されない場合、監視容器２４はステーション１０に戻される。キャップ２８が元に戻され、ステーション１０は適当な期間を経たのち再度点検される。
【００４１】
集合ベース２２を食べたシロアリは、すぐ近くの監視容器２４内の監視媒体５５を発見し摂食行動に移行する。これには、いくつかの理由がある。監視媒体５５が、堅さの点で、集合ベース２２よりもシロアリにより好まれる場合、シロアリは、集合ベース２２を食べるのを中止し、集合ベース２２全体が食べ尽くされる前に監視媒体５５を食べることに移行するであろう。もし、シロアリが集合ベース２２を食べ続けたなら、シロアリは、集合ベース２２を完全に食べ尽くしたときに、監視媒体５５を食べるために食料をあさるという正常な行程に移行する。監視媒体５５は近くにあり、そして、シロアリによって好んで食べられるので、シロアリは、必ず監視媒体５５を食べ始める。
【００４２】
いったんシロアリが監視媒体５５又は集合ベース２２を攻撃していることが発見されたら、ステーション１０には、毒を含む餌５７が付けられる。好ましくは、監視容器２４は、取り外され、容器２５内の餌５７と交換される。毒物を含む餌は、精製セルロース毒物供給タブレットのかたちとすることができる。１つの適切なシロアリの餌の組成が、米国特許６４１６７５２号”Termite Bait Composition and Method”で述べられており、それを参照することによって、その開示内容は完全にここに組み込まれる。
【００４３】
餌５７の毒物は、遅延作用タイプ、又は、虫の成長調節因子、病原体、若しくは代謝阻害物質であることが好ましい。好ましくは、殺虫毒物が加えられた、毒性のない餌の組成を含む。適当なシロアリ殺虫剤の組成が、本発明に関連して使用され得る。一つの実施形態では、その餌はタブレットの形とされる。例えば、１の適当な実施形態では、餌５７は、約１０グラム（０．３５オンス）〜約４５グラム（１．６オンス）の間の質量（より好ましくは、約２５グラム（０．８８オンス）〜約４０グラム（１．４オンス）、更に好ましくは、約３５グラム（１．２オンス））を有する、少なくとも一つの圧縮錠剤を備える。
【００４４】
容器２４，２５の取り外し、交換の間にベースは移動されないため、ハウジング１２内からの容器２４，２５の取り外し、点検、及び／又は交換は、実質上、シロアリのコロニー又は巣と集合ベース２２の集合場所との間で以前に確立された地下道又は通路の、既に存在するネットワークを妨害しない。このように、集合ベース２２における集合場所への妨害は、シロアリが餌付け場所を放棄する可能性を減少させるよう、最小限にされる。同じく、殺虫剤を含む容器２５とシロアリのコロニーとの間の通信とアクセスは、監視容器２４と餌容器２５の交換によって素早く確立される。食料を探すシロアリは、殺虫剤を含む餌５７を摂取し、そしてまた、前から存在する通路のネットワークを経て、巣に毒性の餌の一部を戻す。
【００４５】
ステーション１０は、シロアリによる餌５７の摂取量の程度を評価するために、一定の間隔をおいて（例えば、１５日〜１２日毎に）点検される。容器２５の餌が十分に食べ尽くされたとき、蓋５２を取り外し且つ餌を容器２５に挿入することによって、または、単にその容器を新しい容器と交換することによって、更に餌が補充される。このように、容器２４，２５の正常な点検、及び／又は、交換の間、集合ベース２２は、取り外されず、集合場所への妨害も最小限とされる。集合ベース２２は、周期的な交換（例えば、年に１度、集合ベース２２を新鮮にする）が必要である。しかしながら、通常は、シロアリがその場所で活発に餌を食べる間には行われない。
【００４６】
このように、本発明は、効果的にシロアリを扱うための防除システム及び方法を提供し、且つ、点検のために取り外される必要のない集合ベース２２を提供することによって、点検後にシロアリが餌付けシステムを放棄する可能性を減少させる。その代わりに、シロアリの攻撃についての視覚による点検は、集合媒体、集合媒体に群がるシロアリ、又は害虫防除システム外の集合媒体からシロアリのコロニーまで通じるシロアリトンネルを、移動、除去、妨害しないことを配慮したうえで、行うことができる。
【００４７】
本発明又は好ましい実施形態の構成要素を採用するとき、それらについての「１つの」「その」「前記」という冠詞は、１又はそれ以上の構成要素が存在することを意味することを意図している。「備える」「含む」「有する」という用語は、包括的であることを意図し、そして、記載された構成要素以外に構成要素を追加することができることを意味する。
【００４８】
前述の本発明の範囲から逸脱することなしに様々な変更を加えることができ、前述の記載に含まれ、添付図面に示された全ての事項は、実施例と解釈され、限定された意味で解釈されるものではない。
【図面の簡単な説明】
【００４９】
【図１】本発明に係る害虫防除装置の実施形態の斜視図である。
【図２】図１の害虫防除装置の分解斜視図である。
【図３】図１の害虫防除装置に用いられる集合ベースの斜視図である。
【図４】図１の害虫防除装置に用いられる容器の分解斜視図である。
【図５】図４の監視容器に類似した構造の内部に餌を入れた餌容器の分解斜視図である。
【図６】図４の容器のカップ部分の斜視図である。
【図７】図４のカップの別の斜視図である。
【図８】図４の容器の蓋部分の斜視図である。
【図１】
2004290194.tif 000003
【図２】
2004290194.tif 000004
【図３】
2004290194.tif 000005
【図４】
2004290194.tif 000006
【図５】
2004290194.tif 000007
【図６】
2004290194.tif 000008
【図７】
2004290194.tif 000009
【図８】
2004290194.tif 000010
【外国語明細書】
2004290194.tif 000011
2004290194.tif 000012
2004290194.tif 000013
2004290194.tif 000014
2004290194.tif 000015
2004290194.tif 000016
2004290194.tif 000017
2004290194.tif 000018
2004290194.tif 000019
2004290194.tif 000020
2004290194.tif 000021
2004290194.tif 000022
2004290194.tif 000023
2004290194.tif 000024
2004290194.tif 000025
2004290194.tif 000026
2004290194.tif 000027
2004290194.tif 000028
2004290194.tif 000029
2004290194.tif 000030
2004290194.tif 000031
2004290194.tif 000032
2004290194.tif 000033
2004290194.tif 000034
2004290194.tif 000035